(57)【要約】【課題】重量物でも載置できると共に、転倒し難く、意匠性にも優れた紙製家具を提供する。【解決手段】飾り台１０は、天板部２０と、底板部３０と、底板部３０に立設され、天板部２０を支持する支柱部４０とを備えている。天板部２０は、第１板状体２１と、第１板状体２１の裏面に接着された第１箱状体２２とを備えている。底板部３０は、第２板状体３１と、第２板状体３１のおもて面に接着された第２箱状体３２とを備えている。支柱部４０は、第１箱状体２２が上端に差し込まれ、第２箱状体３２が下端に差し込まれる筒状体４１を備えている。【選択図】図２
0003218790.tif 000002
【実用新案登録請求の範囲】
【請求項１】
天板部と、底板部と、前記底板部に立設され、前記天板部を支持する支柱部とを備え、
前記天板部は、第１板状体と前記第１板状体の裏面に接着された脚部とを備え、
前記底板部は、第２板状体と前記第２板状体のおもて面に接着された凸部とを備え、
前記支柱部は、前記脚部が上端に差し込まれ、前記凸部が下端に差し込まれる筒状体を備えた紙製家具。
【請求項２】
前記脚部と前記凸部は、同じ箱状部材により形成された請求項１記載の紙製家具。
【請求項３】
前記箱状部材は、底面を有する筒状により形成され、
前記筒状体は、前記箱状部材が嵌合する筒状に形成された請求項２記載の紙製家具。
【請求項４】
前記第１板状体と前記第２板状体とは、板状の芯材と、前記芯材のおもて面側を本体部が覆うと共に、前記本体部の周縁から連接された折曲片が前記芯材のおもて面側から裏面側に折り返され、前記芯材の周縁部に接着された化粧用部材とを備えた請求項１から３のいずれかの項に記載の紙製家具。
【請求項５】
前記支柱部は、前記筒状体の内側に挿入され、前記筒状体の側壁面に周壁が当接する仕切板を備えた請求項１から４のいずれかの項に記載の紙製家具。
【請求項６】
前記仕切板には、貫通孔が形成された請求項５記載の紙製家具。
【考案の詳細な説明】
【技術分野】
【０００１】
本考案は、ダンボールや厚紙などを折り曲げ組み立てることで製作される紙製家具に関するものである。
【背景技術】
【０００２】
ダンボール紙により組み立てられた各種の紙製家具が知られている（例えば、特許文献１，２参照。）。
特許文献１に記載の「段ボール製載せ台」は、天板の裏板部に２枚の補強板を備え、補強板本体に筒胴板を被着して組み立てたものである。
また、特許文献２に記載の「段ボール製組立式家具」は、切り込みを互いに嵌め込むことで井桁状の構造体となる複数の仕切板と、仕切板を収容可能な容器とを備え、井桁状の構造体に容器を装着して簡易椅子や、簡易ベッド、簡易ストレッチャー、簡易机とするものである。
【先行技術文献】
【特許文献】
【０００３】
【特許文献１】特開平１１−１２８０６１号公報
【特許文献２】実用新案登録第３１９４５０５号公報
【考案の概要】
【考案が解決しようとする課題】
【０００４】
特許文献１に記載の「段ボール製載せ台」では、筒胴板内に補強板を備えており、重量に対して十分な強度が確保できるが、天板に掛かる荷重に片寄りがあると転倒するおそれがある。
また、特許文献２に記載の「段ボール製組立式家具」においても、井桁状の構造体が十分な重量に耐えるが、井桁状の構造体が露出するため、飾り台のような意匠性が要求されるような家具には適用することができない。
【０００５】
そこで本考案は、重量物でも載置できると共に、転倒し難く、意匠性にも優れた紙製家具を提供することを目的とする。
【課題を解決するための手段】
【０００６】
本考案の紙製家具は、天板部と、底板部と、前記底板部に立設され、前記天板部を支持する支柱部とを備え、前記天板部は、第１板状体と前記第１板状体の裏面に接着された脚部とを備え、前記底板部は、第２板状体と前記第２板状体のおもて面に接着された凸部とを備え、前記支柱部は、前記脚部が上端に差し込まれ、前記凸部が下端に差し込まれる筒状体を備えたことを特徴とする。
【０００７】
本考案の紙製家具によれば、筒状体の上端を天板部の脚部に差し込むことにより、天板部の脚部が筒状体に嵌合して天板部が安定するため、重量物が載置されても筒状体がしっかりと天板部を支持する。
また、支柱部の筒状体の下端が底板部の凸部に差し込まれることにより、凸部が筒状体に嵌合して、重量物が載置された天板部および支柱部を支持するため、底板部がしっかりと天板部および支柱部の転倒を抑止する。
更に、脚部は筒状体の上端に差し込まれて隠れ、凸部は筒状体の下端に差し込まれて隠れるため、美観を保つことができる。
【０００８】
前記脚部と前記凸部を、同じ箱状部材により形成することができる。そうすることで、脚部および凸部となるダンボール紙を打ち抜く際の型を共通化させることができる。
【０００９】
前記箱状部材を、底面を有する角筒状により形成し、前記筒状体を、前記箱状部材が嵌合する角筒状に形成することができる。
筒状体と箱状部材とによる角筒同士がしっかりと嵌合するので、天板部および底板部とを上下方向に引けば簡単に抜けるが、天板部および底板部を傾斜させた状態では支柱部から抜き難くすることができる。
【００１０】
前記第１板状体と前記第２板状体とは、板状の芯材と、前記芯材のおもて面側を本体部が覆うと共に、前記本体部の周縁から連接された折曲片が前記芯材のおもて面側から裏面側に折り返され、前記芯材の周縁部に接着された化粧用部材とを備えることができる。
芯材により強度を確保しつつ、化粧用部材により色を容易に変更することができる。
【００１１】
前記支柱部に、前記筒状体の内側に挿入され、前記筒状体の側壁面に周壁が当接する仕切板を備えさせることができる。仕切板により、筒状体を筒状の状態に維持するため、容易に筒状体を、第１箱状体および第２箱状体に差し込み、嵌合させることができる。
【００１２】
前記仕切板に、貫通孔が形成されていると、使用者が貫通孔に手を挿入することで、仕切板を筒状体に挿入したり、筒状体から引き抜いたりすることができる。
【考案の効果】
【００１３】
本考案の紙製家具によれば、重量物が載置されても筒状体がしっかりと天板部を支持し、底板部がしっかりと天板部および支柱部の転倒を抑止し、第１箱状体および第２箱状部は筒状体に差し込まれて隠れるため、美観を保つことができる。
従って、本考案の紙製家具は、重量物でも載置できると共に、転倒し難く、意匠性にも優れたものとすることができる。
【図面の簡単な説明】
【００１４】
【図１】本考案の実施の形態に係る飾り台の斜視図である。
【図２】図１に示す飾り台の分解斜視図である。
【図３】図１に示す飾り台の天板部および底板部の分解斜視図である。
【図４】図１に示す飾り台の第１箱状体および第２箱状体の展開図である。
【図５】図１に示す飾り台の支柱部の図であり、（Ａ）は筒状部の展開図、（Ｂ）は仕切板の展開図である。
【考案を実施するための形態】
【００１５】
本考案の実施の形態に係る紙製家具を、飾り台を例に、図面に基づいて説明する。
図１に示す飾り台１０は、ダンボールにより形成された各部材を組み立てることで製作され、節句人形などが載置される飾り台である。
図１および図２に示すように、飾り台１０は、天板部２０と、底板部３０と、底板部３０に立設され、天板部２０を支持する支柱部４０とを備えている。
【００１６】
天板部２０は、第１板状体２１と、第１板状体２１の裏面に接着され、天板部２０の脚部となる第１箱状体２２とを備えている。
図３に示すように、第１板状体２１は、板状の芯材５１と、化粧用部材５２と、化粧用部材５２から露出した芯材５１に接着された補強板５３とを備えている。
【００１７】
芯材５１は、外形の輪郭となる矩形状に形成されたダンボールである。
化粧用部材５２は、ダンボールよる基材に化粧紙が貼られて形成されている。化粧用部材５２は、芯材５１のおもて面側を覆う本体部５２ａと、本体部５２ａの周縁に連接され、芯材５１のおもて面から折り目５２ｃにより裏面側に折り返され、芯材５１の裏面の周縁部に接着された折曲片５２ｂとを備えている。
【００１８】
本体部５２ａは、芯材５１と同形状に形成されている。
折曲片５２ｂは、台形状に形成されている。台形状に形成された折曲片５２ｂ同士が脚（傾斜した辺）を突き合わせるようにして芯材５１の裏面に接着される。そのため、補強板５３は、芯材５１の裏面に接着された折曲片５２ｂの残余に対応させて、矩形状に形成されている。
【００１９】
図２に示す第１箱状体２２は、底面を有する筒状により形成された箱状部材である。本実施の形態では、第１箱状体２２の側壁面が四角筒状に形成される。
図４に示す第１箱状体２２は、１枚のダンボール紙を打ち抜き、折り目で折り曲げられることで形成される。
第１箱状体２２は、矩形状の底面６１の四辺のそれぞれに、折り目６１ａを介して、第１側壁面６２から第４側壁面６５が連接されている。
例えば、第１側壁面６２を正面とすると、第２側壁面６３が背面となり、第３側壁面６４が右側面、第４側壁面６５が左側面となる。
【００２０】
第１側壁面６２〜第４側壁面６５は、底面６１の四辺に連接された４枚の外側用側壁面６６と、底面６１の四辺と反対側のそれぞれの外側用側壁面６６に幅を有する折り目６６ａを介して連接された内側用側壁面６７とを備えている。
右側面および左側面の外側用側壁面６６の両端部には、折り目６６ｂを介して差込片６８が連接されている。
右側面および左側面の外側用側壁面６６の両端部には、切り込み６７ｂを除いた範囲を折り目６７ａとして差込片６９が連接されている。
【００２１】
図１および図２に示す底板部３０は、第２板状体３１と、第２板状体３１のおもて面に接着され、底板部３０の凸部となる第２箱状体３２とを備えている。
本実施の形態では、底板部３０は、天板部２０と同じ部材により形成されている。従って、第２板状体３１は、図３に示すように、芯材５１と、化粧用部材５２と、補強板５３とから形成されている。そして、図２に示すように底板部３０は、天板部２０のおもて面と裏面とを反転させたものである。
【００２２】
図２に示す第２箱状体３２は、底面を有する筒状により形成された箱状部材である。本実施の形態では、第１箱状体２２と同様に、第２箱状体３２の側壁面が四角筒状に形成される。
第２箱状体３２は、第１箱状体２２と同じ部材により形成されている。従って、第２板状体３１は、図２および図４に示すように、底面６１と、第１側壁面６２〜第４側壁面６５とから形成されている。従って、第２箱状体３２は、第１箱状体２２の上下を反転させたものである。
【００２３】
図１および図２に示す支柱部４０は、第１箱状体２２が上端４１ｂに差し込まれ、第２箱状体３２が下端４１ｃに差し込まれ、嵌合する四角筒状の筒状体４１と、筒状体４１の内側に挿入され、筒状体４１の側壁面に周縁が当接する仕切板４２とを備えている。
【００２４】
図５（Ａ）に示す筒状体４１は、１枚のダンボール紙を打ち抜き、折り目で折り曲げられることにより形成される。筒状体４１の外側面には、天板部２０および底板部３０の化粧紙と同色の化粧紙が貼られている。
筒状体４１は、４枚の側壁面４１１〜４１４が横列に並ぶように、折り目４１ａを介して連接されている。側壁面４１１〜４１４の上端部および下端部には、内壁面側に、折り目折り曲げて接着される折曲片４１５が連接されている。
また、側壁面４１１の側辺には、側壁面４１４と接着して筒状とするための糊代片４１６が連接されている。
【００２５】
図５（Ｂ）に示す仕切板４２は、矩形状の仕切本体４２ａと、仕切本体４２ａの四辺のそれぞれに連接された折曲片４２ｂとから形成されている。仕切本体４２ａの中央部には、貫通孔４２ｃが形成されている。仕切板４２が筒状体４１に差し込まれるときには、折曲片４２ｂが引き起こされた状態で筒状体４１に挿入される。
【００２６】
以上のように構成された本考案の実施の形態に係る飾り台１０の製造方法を図面に基づいて説明する。
まず、図２に示す天板部２０と底板部３０とを組み立てる。
天板部２０と底板部３０とは、第１板状体２１および第２板状体３１と、第１箱状体２２および第２箱状体３２とを組み立てる。
第１板状体２１および第２板状体３１とは、図３に示す化粧用部材５２の本体部５２ａに芯材５１を接着し、化粧用部材５２の折曲片５２ｂを折り曲げ芯材５１に接着すると共に、芯材５１に補強板５３を接着することで、組み立てることができる。
【００２７】
次に、図４に示すダンボール紙から第１箱状体２２と第２箱状体３２とを組み立てる。
この組み立ては、図３に示す第１箱状体２２と第２箱状体３２となるダンボール紙において、第３側壁面６４（右側の側壁）の内側壁となる内側用側壁面６７と、第４側壁面６５（左側の側壁）の内側壁となる内側用側壁面６７とをそれぞれ立ち上げて、内側用側壁面６７に連接された外側用側壁面６６に重ねる。
【００２８】
次に、立ち上げた内側用側壁面６７に連接された一対の差込片６９と、外側用側壁面６６に連接された一対の差込片６８とを内側に折り曲げ重ねた状態にする。
次に、第１側壁面６２（正面側の側壁）の内側壁となる内側用側壁面６７と、第２側壁面６３（背面側の側壁）の内壁面となる内側用側壁面６７とをそれぞれ立ち上げて、内側用側壁面６７に連接された外側用側壁面６６に重ねる。
【００２９】
このとき、内側用側壁面６７と外側用側壁面６６との間に、差込片６８，６９を位置させることで、第１側壁面６２と第２側壁面６３とが底面６１から立設されると共に、しっかりと、正面側と背面側の内側用側壁面６７と外側用側壁面６６とが差込片６８，６９を保持して、第３側壁面６４と第４側壁面６５とが底面６１から立設される。
このようにして、第１箱状体２２と第２箱状体３２とを組み立てることができる。
【００３０】
図２に示す第１箱状体２２と第２箱状体３２とが組み立てられると、第１箱状体２２と第２箱状体３２とのそれぞれの底面に接着材を塗布して、第１板状体２１と第２板状体３１とに接着する。
具体的には、第１箱状体２２の底面６１を天板部２０の補強板５３中央部に接着することで、天板部２０を組み立てることができる。また、第２箱状体３２の底面６１を底板部３０の化粧用部材５２の中央部に接着することで、底板部３０を組み立てることができる。天板部２０の脚部となる第１箱状体２２と、底板部３０の凸部となる第２箱状体３２とが底面の有する箱状部材により形成されていることで、接着面積を広く確保することができる。
【００３１】
次に、図１に示す筒状体４１を組み立てる。
筒状体４１は、それぞれの側壁面４１の間に位置する折り目４１ａにて折り曲げ側壁面４１を筒状にして、糊代片４１６に接着剤を塗布して側壁面４１１に接着する。
そして、折曲片４１５を内側に折り曲げて接着する。
【００３２】
このようにして、天板部２０と、底板部３０と、筒状体４１とを作製すると、飾り台組み立てセットとして販売することができる。このとき、図２に示す筒状体４１は押し潰して厚みの薄い平行四辺形とした状態としておく。
【００３３】
このような状態で販売される飾り台組み立てセットは、顧客先で最終的な組み立てが行われる。
まず、図２に示す設置場所に底板部３０が載置される。次に、筒状体４１の下端を底板部３０の第２箱状体３２に差し込むが、筒状体４１は押し潰された状態で保管、運搬されるため、筒状に拡げた状態に維持して、第２箱状体３２に差し込むことが困難である。
【００３４】
しかし、本実施の形態では、筒状体４１に仕切板４２を挿入することで、仕切本体４２ａの周縁と、折曲片４２ｂとが筒状体４１の側壁面４１１〜４１４に当接する支持する。従って、筒状体４１を四角筒状の状態に維持するため、筒状体４１を、第２箱状体３２の角筒となる第１側壁面６２から第４側壁面６５に、容易に差し込み、嵌合させることができる。
また、仕切板４２の仕切本体４２ａには、貫通孔４２ｃが形成されているため、使用者が貫通孔４２ｃに手を挿入して、仕切板４２を操作することにより、簡単に仕切板４２を筒状体４１に挿入したり、筒状体４１から引き抜いたりすることができる。
【００３５】
そして、底板部３０と同様に、天板部２０の第１箱状体２２を、筒状体４１の状態に差込み、嵌合させることで、飾り台１０を完成させることができる。このときも、仕切板４２により、筒状体４１が四角筒状の状態に維持されるため、第１箱状体２２の角筒となる第１側壁面６２から第４側壁面６５を、筒状体４１に差し込み、嵌合させることができる。
【００３６】
以上のように、図１に示す本実施の形態に係る飾り台１０によれば、筒状体４１の上端４１ｂを第１箱状体２２に差し込むことにより、第１箱状体２２が天板部２０の脚部となって筒状体４１に嵌合して天板部２０が安定するため、重量物が載置されても筒状体４１がしっかりと天板部２０を支持する。
また、支柱部４０の筒状体４１の下端４１ｃが第２箱状体３２に差し込まれることにより、第２箱状体３２が底板部３０の凸部となって筒状体４１に嵌合して、重量物が載置された天板部２０および支柱部４０を支持して安定するため、天板部２０に載置された重量物の配置に多少の片寄りがあっても、底板部３０が天板部２０および支柱部４０の転倒を抑止する。
更に、天板部２０の脚部となる第１箱状体２２は筒状体４１の上端に差し込まれて隠れ、底板部３０の凸部となる第２箱状体３２は筒状体４１の下端に差し込まれて隠れるため、美観を保つことができる。
従って、飾り台１０は、重量物でも載置できると共に、転倒し難く、意匠性も優れたものとすることができる。
【００３７】
第１箱状体２２と第２箱状体３２とが、同じ部材により形成されているため、第１箱状体２２および第２箱状体３２となるダンボール紙を打ち抜く際の型を共通化させることができる。
【００３８】
第１板状体２１と第２板状体３１とが、芯材５１と、化粧用部材５２とを備えているため、芯材５１により強度を確保しつつ、化粧用部材５２により天板部２０および底板部３０の色を容易に変更することができる。
【００３９】
第１箱状体２２と第２箱状体３２とは、同じ部材の角筒状の側壁面４１１から側壁面４１４を有する箱体により形成され、筒状体４１は、第１箱状体２２と第２箱状体３２とが嵌合する角筒状に形成されている。そのため、筒状体４１と第１箱状体２２および第２箱状体３２とによる角筒同士がしっかりと嵌合するので、天板部２０および底板部３０とを上下方向に引けば簡単に抜けるが、天板部２０および底板部３０を傾斜させた状態では抜き難くすることができる。
【００４０】
なお、本実施の形態では、天板部２０の脚部として、また、底板部３０の凸部として、底面を有し、側壁面が四角筒状となる第１箱状体２２および第２箱状体３２とした。しかし、支柱部の筒状体に嵌合するものであれば、側壁面を、三角筒状としたり、五角筒状以上の多角形状、異形状の角筒状としたり、円筒状としたりすることができる。
また、脚部と凸部を底面が無い筒状部材としてもよい。しかし、接着面積が大きい方が天板部の第１板状体２１および底板部の第２板状体３１への接着力が高まるため、脚部と凸部は底面を有する箱状部材とすることが望ましい。
【００４１】
また、筒状体４１の長さは、任意に変更することが可能である。何種類かの筒状体４１を準備すれば、設置場所に応じた高さの飾り台１０を選択することができる。
更に、飾り台１０はダンボール紙により形成されているが、重量に耐えることができれば厚紙など他の紙が使用できる。
【産業上の利用可能性】
【００４２】
本考案の紙製家具は、飾り台だけでなく、踏み台などの台としたり、テーブルとしたり、ベッドとしたりすることができる。
【符号の説明】
【００４３】
１０  飾り台
２０  天板部
２１  第１板状体
２２  第１箱状体
３０  底板部
３１  第２板状体
３２  第２箱状体
４０  支柱部
４１  筒状体
４１ａ  折り目
４１ｂ  上端
４１ｃ  下端
４１１〜４１４  側壁面
４１５  折曲片
４１６  糊代片
４２  仕切板
４２ａ  仕切本体
４２ｂ  折曲片
４２ｃ  貫通孔
５１  芯材
５２  化粧用部材
５２ａ  本体部
５２ｂ  折曲片
５２ｃ  折り目
５３  補強板
６１  底面
６１ａ  折り目
６２  第１側壁面
６３  第２側壁面
６４  第３側壁面
６５  第４側壁面
６６  外側用側壁面
６６ａ，６６ｂ  折り目
６７  内側用側壁面
６７ａ  折り目
６７ｂ  切り込み
６８  差込片
６９  差込片
【図１】
0003218790.tif 000003
【図２】
0003218790.tif 000004
【図３】
0003218790.tif 000005
【図４】
0003218790.tif 000006
【図５】
0003218790.tif 000007